(57)【要約】【課題】  エラーが発生したパケットの種別を考慮して、適切に動作切換を行う。【解決手段】  制御ユニット１８０が、エラー発生に関するパケットとして、Ｂ階層放送における「映像データパケット」及び「音声データパケット」を指定ＰＩＤとするＰＩＤ指定ＰＩＣ1を生成し、指定ＰＩＤ保持部２２７1へ送る。そして、エラーパケット抽出部２２５1が、データパケットＰＫＤ1に含まれるエラー表示を参照して、エラーパケットを抽出すると、エラーパケットにおけるＰＩＤを指定ＰＩＤ判定部２２６1へ送る。指定ＰＩＤ判定部２２６1は、指定ＰＩＤ保持部２２７1から指定ＰＩＤを読み取り、当該ＰＩＤが指定ＰＩＤと一致する場合に、エラー発生報告ＰＥＲ1を制御ユニット１８０へ送る。制御ユニット１８０は、エラー発生報告ＰＥＲ1の発生頻度を考慮して受信状態の評価値を算出し、評価値に基づき階層放送間の動作切換を行う。【選択図】  図３
2011030003.tif 000002
【特許請求の範囲】
【請求項１】
データ種別に対応するパケット種別を示すパケット識別子を含むデータパケットを使用したデジタル放送を受信するデジタル放送受信装置であって、
選局している伝送チャンネルについて、指定されたパケット識別子を含むデータパケットである着目パケットに関するエラー発生を検出する検出手段と；
前記着目パケットに関するエラー発生を考慮して、動作切換の制御を行う制御手段と；
を備えることを特徴とするデジタル放送受信装置。
【請求項２】
前記デジタル放送の同一伝送チャンネル内にエラー耐性の高い階層の第１放送と前記第１放送よりもエラー耐性の低い階層の第２放送とが含まれ、前記第１放送及び前記第２放送のそれぞれで使用されるデータパケットに、映像データパケット及び音声データパケットが含まれている場合において、
前記指定されたパケット識別子は、前記第２放送に含まれる映像データパケットに対応するパケット識別子及び音声データパケットに対応するパケット識別子の少なくとも一方であり、
前記制御手段は、再生対象放送として前記第１放送及び前記第２放送のいずれかに切り換える、
ことを特徴とする請求項１に記載のデジタル放送受信装置。
【請求項３】
前記デジタル放送で使用されるデータパケットには、放送番組情報に関するデータパケットである番組情報データパケットが含まれ、
前記指定されたパケット識別子は、前記番組情報データパケットに対応するパケット識別子であり、
前記制御手段は、放送番組情報取得の対象となる伝送チャンネルに切り換える、
ことを特徴とする請求項１に記載のデジタル放送受信装置。
【請求項４】
前記検出手段は、選局している伝送チャンネルにおける全データパケットに関するエラー発生を更に検出し、
前記制御手段は、前記全データパケットに関するエラー発生を考慮して、再生対象となる伝送チャンネルの切換を更に行う、
ことを特徴とする請求項２又は３に記載のデジタル放送受信装置。
【請求項５】
操作入力が行われる操作入力手段と；
前記操作入力手段に入力された情報に基づいて、前記着目パケットを特定するためのパケット識別子を前記検出手段に対して指定する指定手段と；
を更に備えることを特徴とする請求項１〜４のいずれか一項に記載のデジタル放送受信装置。
【請求項６】
移動体に搭載される、ことを特徴とする請求項１〜５のいずれか一項に記載のデジタル放送受信装置。
【請求項７】
データ種別に対応するパケット種別を示すパケット識別子を含むデータパケットを使用したデジタル放送を受信するとともに、選局している伝送チャンネルについて、指定されたパケット識別子を含むデータパケットである着目パケットに関するエラー発生を検出する検出手段を備えるデジタル放送受信装置において使用される動作切換方法であって、
前記着目パケットを特定するためのパケット識別子を、前記検出手段に対して指定する指定工程と；
前記検出手段によって検出された着目パケットに関するエラー発生を考慮して、動作切換の制御を行う制御工程と；
を備えることを特徴とする動作切換方法。
【請求項８】
請求項７に記載の動作切換方法を演算手段に実行させる、ことを特徴とする動作切換プログラム。
【請求項９】
請求項８に記載の動作切換プログラムが、演算手段により読み取り可能に記録されている、ことを特徴とする記録媒体。
【発明の詳細な説明】
【技術分野】
【０００１】
本発明は、デジタル放送受信装置、動作切換方法、動作切換プログラム、及び、当該動作切換プログラムが記録された記録媒体に関する。
【背景技術】
【０００２】
近年、放送のデジタル化が進められ、地上デジタル放送、ＢＳ（Broadcasting Satellite）デジタル放送及びＣＳ（Communication Satellite）放送が実用化されている。こうしたデジタル放送は、ＩＳＤＢ−Ｔ（International Services Digital Broadcasting - Terrestrial）規格に準拠した階層伝送と呼ばれる伝送方式を採用している。
【０００３】
かかる階層伝送は、１つのチャンネル（伝送帯域）内を複数の領域（「セグメント」と呼ばれる）に分割し、セグメントごとに異なる変調方式で放送信号を伝送して、異なる複数の放送を同一チャンネルで同時に放送する伝送方式である。例えば、現行の地上デジタル放送では、１チャンネル内を１３個のセグメントに分割して、Ａ階層として中心の１個のセグメントに１つの放送信号を変調し、Ｂ階層として残りの１２個のセグメントに他の１つの放送信号を変調するようになっている。そして、Ａ階層放送及びＢ階層放送において、同一の番組を同時に放送する同時放送（サイマル放送）が行われるようになっている。
【０００４】
ところで、１セグメントを使用した放送（以下、「ワンセグ放送」とも呼ぶ）であるＡ階層放送は、１２セグメントを使用した放送（以下、「１２セグ放送」とも呼ぶ）であるＢ階層放送よりも再生画質や再生音質は劣ることになるが、エラー耐性は高い。そこで、車両等の移動体に搭載される地上デジタル放送の放送受信装置として、移動体の移動に伴う放送波の受信品質の変化に対応するため、当該受信品質が低い場合にはＡ階層の放送を再生し、当該受信品質が高い場合にはＢ階層の放送を再生する技術が提案されている（特許文献１参照：以下「従来例」という）。
【先行技術文献】
【特許文献】
【０００５】
【特許文献１】特開２００８−１７２０４号公報
【発明の概要】
【発明が解決しようとする課題】
【０００６】
上述した従来例の技術では、ワンセグ放送と１２セグ放送とを自動的に切り換えているが、その切換には、各階層放送の全パケットに関するパケットエラー率を指標にしている。このように単に、全パケットに関するパケットエラー率を指標にして切換処理を行うようにすると、パケットエラーが１２セグ放送による音声や映像とは関係のないデータ放送や番組情報に関するものであっても、エラー発生と認識し、本来なら１２セグ放送による音声や映像を良好に視聴し続けられたにもかかわらず、ワンセグ放送に切り換わってしまうことがある。こうした事態の発生は、再生品質が高い１２セグ放送をできる限り継続視聴したいと望む利用者の要望に反することになる。
【０００７】
このため、音声や映像の視聴の観点から、ワンセグ放送と１２セグ放送とを自動的に適切に切り換え、１２セグ放送による音声や映像の継続視聴を適切に確保できる技術が待望されている。かかる要請に応えることが、本発明が解決すべき課題の一つとして挙げられる。
【０００８】
本発明は、上記の事情を鑑みてなされたものであり、エラーが発生したパケットの種別を考慮して、適切に動作切換を行うことができるデジタル放送受信装置及び動作切換方法を提供することを目的とする。
【課題を解決するための手段】
【０００９】
請求項１に記載の発明は、データ種別に対応するパケット種別を示すパケット識別子を含むデータパケットを使用したデジタル放送を受信するデジタル放送受信装置であって、選局している伝送チャンネルについて、指定されたパケット識別子を含むデータパケットである着目パケットに関するエラー発生を検出する検出手段と；前記着目パケットに関するエラー発生を考慮して、動作切換の制御を行う制御手段と；を備えることを特徴とするデジタル放送受信装置である。
【００１０】
請求項７に記載の発明は、データ種別に対応するパケット種別を示すパケット識別子を含むデータパケットを使用したデジタル放送を受信するとともに、選局している伝送チャンネルについて、指定されたパケット識別子を含むデータパケットである着目パケットに関するエラー発生を検出する検出手段を備えるデジタル放送受信装置において使用される動作切換方法であって、前記着目パケットを特定するためのパケット識別子を、前記検出手段に対して指定する指定工程と；前記検出手段によって検出された着目パケットに関するエラー発生を考慮して、動作切換の制御を行う制御工程と；を備えることを特徴とする動作切換方法である。
【００１１】
請求項８に記載の発明は、請求項７に記載の動作切換方法を演算手段に実行させる、ことを特徴とする動作切換プログラムである。
【００１２】
請求項９に記載の発明は、請求項８に記載の動作切換プログラムが、演算手段により読み取り可能に記録されている、ことを特徴とする記録媒体である。
【図面の簡単な説明】
【００１３】
【図１】本発明の一実施形態に係るデジタル放送受信装置の構成を概略的に示すブロック図である。
【図２】図１の再生処理ユニットの構成を示すブロック図である。
【図３】図２の再生用チャンネルデコード部の構成を示すブロック図である。
【図４】データパケットの構成を説明するための図である。
【図５】図２の付加チャンネルデコード部の構成を示すブロック図である。
【図６】図２の再生用ソースデコード部の構成を示すブロック図である。
【図７】図２の付加ソースデコード部の構成を示すブロック図である。
【図８】図１の記憶部における記憶内容を説明するための図である。
【図９】図１の装置による動作切換処理を説明するためのフローチャートである。
【発明を実施するための形態】
【００１４】
以下、本発明の一実施形態を、図１〜図９を参照して説明する。なお、本実施形態においては、ＭＰＥＧ方式によるコード化が行われた後にＯＦＤＭ（Orthogonal Frequency Division Multiplex）変調が施された地上デジタル放送波を受信して処理する、車両に搭載されたデジタル放送受信装置を例示して説明する。また、以下の説明及び図面においては、同一又は同等の要素には同一の符号を付し、重複する説明を省略する。
【００１５】
［構成］
図１には、一実施形態に係るデジタル放送受信装置１００の概略的な構成がブロック図にて示されている。このデジタル放送受信装置１００は、地上デジタル放送において、Ａ階層放送（ワンセグ放送）とＢ階層放送（１２セグ放送）とを受信する装置である。
【００１６】
この図１に示されるように、デジタル放送受信装置１００は、２個のアンテナ１１０1，１１０2と、２個のＲＦ処理ユニット１２０1，１２０2と、再生処理ユニット１３０とを備えている。また、デジタル放送受信装置１００は、操作入力手段としての操作入力ユニット１４０と、音出力ユニット１５０と、表示ユニット１６０とを備えている。さらに、デジタル放送受信装置１００は、制御手段、指定手段としての制御ユニット１８０を備えている。
【００１７】
上記のアンテナ１１０1，１１０2は、地上デジタル放送波を受信する。そして、アンテナ１１０1による受信結果は、受信信号ＲＦＳ1として、ＲＦ処理ユニット１２０1へ送られる。また、アンテナ１１０2による受信結果は、受信信号ＲＦＳ2として、ＲＦ処理ユニット１２０2へ送られる。
【００１８】
上記のＲＦ処理ユニット１２０1は、制御ユニット１８０からの選局指令ＣＳＬ1に従って、選択すべき物理チャンネルの信号を受信信号ＲＦＳ1から抽出する選局処理を行う。この選局処理の結果は、信号ＩＦＳ1として再生処理ユニット１３０へ送られる。
【００１９】
上記のＲＦ処理ユニット１２０2は、制御ユニット１８０からの選局指令ＣＳＬ2に従って、選択すべき物理チャンネルの信号を受信信号ＲＦＳ2から抽出する選局処理を行う。この選局処理の結果は、信号ＩＦＳ2として再生処理ユニット１３０へ送られる。
【００２０】
ＲＦ処理ユニット１２０j（ｊ＝１，２）は、入力フィルタ、高周波増幅器、バンドパスフィルタ（以下、「ＲＦフィルタ」と呼ぶ）、ミキサ（混合器）、中間周波フィルタ（以下、「ＩＦフィルタ」と呼ぶ）、中間周波増幅器、局部発振回路等（いずれも不図示）を備えて構成されている。
【００２１】
このＲＦ処理ユニット１２０jでは、対応するアンテナ１１０jからの受信信号ＲＦＳjが、入力フィルタを通過することにより、帯域外成分が除去された後、高周波増幅器により増幅される。こうして高周波増幅器により増幅された信号は、ＲＦフィルタにより、特定の高周波数範囲の信号が抽出された後、ミキサにおいて、制御ユニット１８０からの選局指令ＣＳＬjに従って局部発振回路により生成された希望局に対応する周波数を有する局部発振信号と混合される。そして、ミキサによる混合結果からＩＦフィルタにより予め定められた中間周波数帯の信号が選択される。中間周波増幅器は、ＩＦフィルタを通過した信号を増幅する。この中間周波増幅器による増幅結果は、信号ＩＦＳjとして、再生処理ユニット１３０へ向けて出力される。
【００２２】
上記の再生処理ユニット１３０は、制御ユニット１８０による制御のもとで、ＲＦ処理ユニット１２０1，１２０2から送られる信号ＩＦＳ1，ＩＦＳ2を処理して、音出力ユニット１５０へ供給するための音声データＡＤＴ及び表示ユニット１６０へ供給するための映像データＩＤＴを生成する。この再生処理ユニット１３０は、図２に示されるように、再生用チャンネルデコード部１３１1と、付加チャンネルデコード部１３１2と、再生用ソースデコード部１３２1と、付加ソースデコード部１３２2と、選択部１３３とを備えている。
【００２３】
上記の再生用チャンネルデコード部１３１1は、ＲＦ処理ユニット１２０j（ｊ＝１，２）から送られる信号ＩＦＳjに基づいて、ＯＦＤＭ復調処理等を行う。この再生用チャンネルデコード部１３１1は、図３に示されるように、信号合成部２２１と、ＯＦＤＭ復調部２２２1と、誤り訂正処理部２２３1と、ＣＮＲ検出部２２４1とを備えている。また、再生用チャンネルデコード部１３１1は、検出手段の一部としてのエラーパケット抽出部２２５1と、検出手段の一部としての指定ＰＩＤ判定部２２６1と、検出手段の一部としての指定ＰＩＤ保持部２２７1とを備えている。
【００２４】
上記の信号合成部２２１は、ＲＦ処理ユニット１２０1，１２０2から送られる信号ＩＦＳ1，ＩＦＳ2を受ける。そして、信号合成部２２１は、制御ユニット１８０による制御のもとで、信号合成処理を行う。この信号合成部２２１は、制御ユニット１８０からの合成制御指令ＳＮＣにより合成すべきことが指定された場合には、信号ＩＦＳ1，ＩＦＳ2の２つの信号の合成を行い、合成信号をＯＦＤＭ復調部２２２1へ送る。一方、信号合成部２２１は、制御ユニット１８０からの合成制御指令ＳＮＣにより合成すべきではないことが指定された場合には、信号合成を行わず、信号ＩＦＳ1をＯＦＤＭ復調部２２２1へ送る。
【００２５】
上記のＯＦＤＭ復調部２２２1は、信号合成部２２１から送られる信号を受ける。そして、ＯＦＤＭ復調部２２２1は、信号合成部２２１から送られる信号に対してＯＦＤＭ復調処理を施す。こうしてＯＦＤＭ復調処理が施された復調データは、誤り訂正処理部２２３1へ送られる。
【００２６】
上記の誤り訂正処理部２２３1は、ＯＦＤＭ復調部２２２1から送られる復調データを受ける。そして、誤り訂正処理部２２３1は、ビタビ復号、リードソロモン復号による誤り訂正を行う。この後、誤り訂正処理部２２３1は、誤り訂正の結果を、データパケットＰＫＤ1としてエラーパケット抽出部２２５1及び再生用ソースデコード部１３２1へ送る。
【００２７】
データパケットＰＫＤ1は、図４に示されるように、本実施形態では、４バイトのヘッダ部と、１８４バイトのデータ部からなる１８８バイトの固定長パケットとなっている。ここで、ヘッダ部は、先頭に８ビット（１バイト）の同期バイトが配置され、その直後に１ビットのエラー表示が配置されている。そして、当該エラー表示と２ビット隔てて、１３ビットのＰＩＤ（Packet Identifier：パケット識別子）が配置されるようになっている。
【００２８】
図３に戻り、上記のＣＮＲ検出部２２４1は、信号合成部２２１から送られる信号を受ける。そして、ＣＮＲ検出部２２４1は、当該信号におけるＣＮＲ（Carrier to Noise Ratio）を検出する。この検出結果は、検出値ＣＮＲ1として、制御ユニット１８０へ送られる。
【００２９】
上記のエラーパケット抽出部２２５1は、誤り訂正処理部２２３1から送られるデータパケットＰＫＤ1を受ける。そして、エラーパケット抽出部２２５1は、当該データパケットＰＫＤ1に含まれるエラー表示を参照して、エラー表示されているデータパケット（以下、「エラーパケット」呼ぶ）を抽出する。そして、抽出されたエラーパケットにおけるＰＩＤが、指定ＰＩＤ判定部２２６1へ送られる。
【００３０】
なお、本実施形態では、データパケットＰＫＤ1に関するエラーが発生するのは、上述したリードソロモン復号で訂正不能なビットエラーがある場合等となっている。
【００３１】
上記の指定ＰＩＤ判定部２２６1は、エラーパケット抽出部２２５1から送られるＰＩＤを受ける。また、指定ＰＩＤ判定部２２６1は、指定ＰＩＤ保持部２２７1から指定ＰＩＤを読み取る。そして、指定ＰＩＤ判定部２２６1は、当該ＰＩＤが指定ＰＩＤと一致するか否かを判定する。この判定の結果が肯定的であった場合に、指定ＰＩＤ判定部２２６1は、エラー発生報告ＰＥＲ1を制御ユニット１８０へ送る。
【００３２】
上記の指定ＰＩＤ保持部２２７1は、制御ユニット１８０からのＰＩＤ指定ＰＩＣ1を受ける。そして、指定ＰＩＤ保持部２２７1は、制御ユニット１８０から受けたＰＩＤ指定ＰＩＣ1により指定されるＰＩＤを、指定ＰＩＤとして保持する。また、指定ＰＩＤ保持部２２７1は、ＰＩＤ指定ＰＩＣ1により削除指定を受けた場合には、保持している指定ＰＩＤを全て削除する。
【００３３】
図２に戻り、上記の付加チャンネルデコード部１３１2は、ＲＦ処理ユニット１２０2から送られる信号ＩＦＳ2に基づいて、ＯＦＤＭ復調処理等を行う。この付加チャンネルデコード部１３１2は、図５に示されるように、ＯＦＤＭ復調部２２２2と、誤り訂正処理部２２３2と、ＣＮＲ検出部２２４2とを備えている。また、付加チャンネルデコード部１３１2は、検出手段の一部としてのエラーパケット抽出部２２５2と、検出手段の一部としての指定ＰＩＤ判定部２２６2と、検出手段の一部としての指定ＰＩＤ保持部２２７2とを備えている。
【００３４】
上記のＯＦＤＭ復調部２２２2は、ＲＦ処理ユニット１２０2から送られる信号ＩＦＳ2を受ける。そして、ＯＦＤＭ復調部２２２2は、上述したＯＦＤＭ復調部２２２1と同様に、信号ＩＦＳ2に対してＯＦＤＭ復調処理を施す。こうしてＯＦＤＭ復調処理が施された復調データは、誤り訂正処理部２２３2へ送られる。
【００３５】
上記の誤り訂正処理部２２３2は、ＯＦＤＭ復調部２２２2から送られる復調データを受ける。そして、誤り訂正処理部２２３2は、上述した誤り訂正処理部２２３1と同様に、ビタビ復号、リードソロモン復号による誤り訂正を行う。この後、誤り訂正処理部２２３2は、誤り訂正の結果を、データパケットＰＫＤ2としてエラーパケット抽出部２２５2及び付加ソースデコード部１３２2へ送る。
【００３６】
上記のＣＮＲ検出部２２４2は、ＲＦ処理ユニット１２０2から送られる信号ＩＦＳ2を受ける。そして、ＣＮＲ検出部２２４2は、上述したＣＮＲ検出部２２４1と同様に、信号ＩＦＳ2におけるＣＮＲを検出する。この検出結果は、検出値ＣＮＲ2として、制御ユニット１８０へ送られる。
【００３７】
上記のエラーパケット抽出部２２５2は、誤り訂正処理部２２３2から送られるデータパケットＰＫＤ2を受ける。そして、エラーパケット抽出部２２５2は、上述したエラーパケット抽出部２２５1と同様に、当該データパケットＰＫＤ2に含まれるエラー表示を参照して、エラーパケットを抽出する。そして、抽出されたエラーパケットにおけるＰＩＤが、指定ＰＩＤ判定部２２６2へ送られる。
【００３８】
上記の指定ＰＩＤ判定部２２６2は、エラーパケット抽出部２２５2から送られるＰＩＤを受ける。また、指定ＰＩＤ判定部２２６2は、上述した指定ＰＩＤ判定部２２６1と同様に、指定ＰＩＤ保持部２２７2から指定ＰＩＤを読み取る。そして、指定ＰＩＤ判定部２２６2は、当該ＰＩＤが指定ＰＩＤと一致するか否かを判定する。この判定の結果が肯定的であった場合に、指定ＰＩＤ判定部２２６2は、エラー発生報告ＰＥＲ2を制御ユニット１８０へ送る。
【００３９】
上記の指定ＰＩＤ保持部２２７2は、制御ユニット１８０からのＰＩＤ指定ＰＩＣ2を受ける。そして、指定ＰＩＤ保持部２２７2は、上述した指定ＰＩＤ保持部２２７1と同様に、制御ユニット１８０から受けたＰＩＤ指定ＰＩＣ2により指定されるＰＩＤを、指定ＰＩＤとして保持する。また、指定ＰＩＤ保持部２２７2は、ＰＩＤ指定ＰＩＣ2により削除指定を受けた場合には、保持している指定ＰＩＤを全て削除する。
【００４０】
図２に戻り、上記の再生用ソースデコード部１３２1は、再生用チャンネルデコード部１３１1から送られるデータパケットＰＫＤ1に基づいて、Ａ階層及びＢ階層に関するデータの分離処理等を行う。かかる機能を有する再生用ソースデコード部１３２1は、図６に示されるように、パケット分離部１４１1と、Ａ階層処理部１４２1と、Ｂ階層処理部１４３1とを備えている。
【００４１】
上記のパケット分離部１４１1は、再生用チャンネルデコード部１３１1から送られるデータパケットＰＫＤ1を受ける。そして、パケット分離部１４１1は、データパケットＰＫＤ1をＡ階層データパケット及びＢ階層データパケットに分離する。こうして分離されたＡ階層データパケット及びＢ階層データパケットは、それぞれ、Ａ階層処理部１４２1及びＢ階層処理部１４３1へ送られる。
【００４２】
上記のＡ階層処理部１４２1は、パケット分離部１４１1から送られるＡ階層データパケットを受ける。そして、Ａ階層処理部１４２1は、制御ユニット１８０による制御のもとで、地上デジタル放送におけるＡ階層放送に採用されているＨ．２６４／ＡＶＣ方式でエンコード化されたＡ階層データパケットのソースデコード処理を行い、Ａ階層放送に対応する音声データ及び映像データであるＡ階層データＡＡＶを生成する。こうして生成されたＡ階層データＡＡＶは、選択部１３３へ送られる。
【００４３】
また、Ａ階層処理部１４２1は、Ａ階層データパケットを解析して、逐次、ＰＳＩ／ＳＩ（Program Specific Information/Service Information）を取得する。そして、Ａ階層処理部１４２1は、当該ＰＳＩ／ＳＩをデータＡＤＰ1として、制御ユニット１８０へ送る。
【００４４】
上記のＢ階層処理部１４３1は、パケット分離部１４１1から送られるＢ階層データパケットを受ける。そして、Ｂ階層処理部１４３1は、制御ユニット１８０による制御のもとで、地上デジタル放送におけるＢ階層放送に採用されているＭＰＥＧ２方式でエンコード化されたＢ階層データパケットのソースデコード処理を行い、Ｂ階層放送に対応する音声データ及び映像データであるＢ階層データＢＡＶを生成する。こうして生成されたＢ階層データＢＡＶは、選択部１３３へ送られる。
【００４５】
また、Ｂ階層処理部１４３1は、Ｂ階層データパケットを解析して、逐次、ＰＳＩ／ＳＩを取得する。そして、Ｂ階層処理部１４３1は、当該ＰＳＩ／ＳＩをデータＢＤＰ1として、制御ユニット１８０へ送る。
【００４６】
図２に戻り、上記の付加ソースデコード部１３２2は、付加チャンネルデコード部１３１2から送られるデータパケットＰＫＤ2に基づいて、Ａ階層及びＢ階層に関するデータの分離処理等を行う。かかる機能を有する付加ソースデコード部１３２2は、図７に示されるように、パケット分離部１４１2と、Ａ階層処理部１４２2と、Ｂ階層処理部１４３2とを備えている。
【００４７】
上記のパケット分離部１４１2は、付加チャンネルデコード部１３１2から送られるデータパケットＰＫＤ2を受ける。そして、パケット分離部１４１2は、上述したパケット分離部１４１1と同様に、データパケットＰＫＤ2をＡ階層データパケット及びＢ階層データパケットに分離する。こうして分離されたＡ階層データパケット及びＢ階層データパケットは、それぞれ、Ａ階層処理部１４２2及びＢ階層処理部１４３2へ送られる。
【００４８】
上記のＡ階層処理部１４２2は、パケット分離部１４１2から送られるＡ階層データパケットを受ける。そして、Ａ階層処理部１４２2は、上述したＡ階層処理部１４２1と同様に、Ａ階層データパケットを解析して、逐次、ＰＳＩ／ＳＩを取得する。そして、Ａ階層処理部１４２2は、当該ＰＳＩ／ＳＩをデータＡＤＰ2として、制御ユニット１８０へ送る。
【００４９】
上記のＢ階層処理部１４３2は、パケット分離部１４１2から送られるＢ階層データパケットを受ける。そして、Ｂ階層処理部１４３2は、上述したＢ階層処理部１４３1と同様に、Ｂ階層データパケットを解析して、逐次、ＰＳＩ／ＳＩを取得する。そして、Ｂ階層処理部１４３2は、当該ＰＳＩ／ＳＩをデータＢＤＰ2として、制御ユニット１８０へ送る。
【００５０】
図１に戻り、上記の操作入力ユニット１４０は、デジタル放送受信装置１００の本体部に設けられたキー部、及び／又は、キー部を備えるリモート入力装置等により構成される。ここで、本体部に設けられたキー部としては、表示ユニット１６０に設けられたタッチパネルを用いることができる。また、キー部を有する構成に代えて、又は、併用して音声認識技術を利用して音声にて入力する構成を採用することもできる。
【００５１】
この操作入力ユニット１４０を利用者が操作することにより、デジタル放送受信装置１００の動作内容の設定が行われる。例えば、放送事業者を指定した選局指令等を、利用者が操作入力ユニット１４０を操作することによって行われる。こうして操作入力された内容は、操作入力データＩＰＤとして、操作入力ユニット１４０から制御ユニット１８０へ向けて送られる。
【００５２】
上記の音出力ユニット１５０は、（ｉ）再生処理ユニット１３０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されているチャンネルの放送波に対応する放送音声を再生出力する。
【００５３】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から送られる映像データＩＤＴに基づいて、当該表示デバイスに画像を表示させる表示制御回路とを備えている。この表示ユニット１６０は、選局されているチャンネルに対応する放送画像、放送番組情報等を再生表示する。
【００５４】
上記の制御ユニット１８０は、様々な処理を行うとともに、デジタル放送受信装置１００の全体の動作を制御する。この制御ユニット１８０内には、記憶部１８１が備えられている。
【００５５】
上記の記憶部１８１には、様々な情報データが記憶される。記憶部１８１に記憶される情報データとしては、図８に示されるように、番組案内表情報ＥＰＧ、チャンネルリスト情報ＣＨＬ、中継局周波数情報ＲＳＦ等がある。
【００５６】
ここで、チャンネルリスト情報ＣＨＬには、車両が存在する各位置において、放送事業者の指定選局に適切であることが推定される物理チャンネルＣＨp（ｐ＝１，２，…，Ｐ）の周波数ＦＱpと、当該物理チャンネルＣＨpに対応する放送事業者の識別情報とが記憶される。また、中継局周波数情報ＲＳＦには、現在視聴している物理チャンネルの代替局となり得る中継局（＃１，＃２，…）の周波数情報ＮＴＦ1，ＮＴＦ2，…が記憶される。この中継局周波数情報ＲＳＦは、再生用ソースデコード部１３２1から送られるデータＡＤＰ1に含まれるＰＳＩ情報に基づいて、作成されるようになっている。
【００５７】
図１に戻り、制御ユニット１８０は、操作入力ユニット１４０から送られる操作入力データＩＰＤに基づく利用者の選局指定に対応した選局制御処理を行う。かかる選局制御処理に際して、制御ユニット１８０は、当該選局指定に従って、再生チャンネルの選局指令ＣＳＬ1，ＣＳＬ2を生成して、それぞれ、ＲＦ処理ユニット１２０1，１２０2へ向けて送る。
【００５８】
また、制御ユニット１８０は、合成制御指令ＳＮＣを生成して再生処理ユニット１３０の信号合成部２２１へ送る。ここで、当該指令は、後述する、番組案内表情報ＥＰＧの作成処理期間、及び、サーチ処理期間以外の期間においては、信号ＩＦＳ1，ＩＦＳ2の２つの信号を合成すべき旨の指令となっている。また、番組案内表情報ＥＰＧの作成処理期間、及び、サーチ処理期間においては、当該指令は、信号ＩＦＳ1，ＩＦＳ2を合成しない旨の指令となっている。
【００５９】
また、制御ユニット１８０は、再生用ソースデコード部１３２1から送られるＡ階層放送及びＢ階層放送におけるＰＳＩ／ＳＩのデータであるデータＡＤＰ1，ＢＤＰ1を受ける。そして、制御ユニット１８０は、これらのデータからデータパケットＰＫＤ1におけるＰＩＤが示すパケット種別を識別する。ここで、パケット種別には、Ａ階層放送及びＢ階層放送ごとに「映像データパケット」、「音声データパケット」、「データ放送パケット」、「番組情報データパケット」の４種類がある。そして、制御ユニット１８０は、エラー発生に関するパケットとしてＢ階層放送における「映像データパケット」及び「音声データパケット」を指定するため、Ｂ階層放送の「映像データパケット」及び「音声データパケット」のＰＩＤを指定ＰＩＤとするＰＩＤ指定ＰＩＣ1を生成し、再生用チャンネルデコード部１３１1の指定ＰＩＤ保持部２２７1へ送る。
【００６０】
また、制御ユニット１８０は、付加ソースデコード部１３２2から送られるＡ階層放送及びＢ階層放送におけるＰＳＩ／ＳＩのデータであるデータＡＤＰ2，ＢＤＰ2を受ける。そして、制御ユニット１８０は、これらのデータからデータパケットＰＫＤ2におけるＰＩＤが示すパケット種別を識別する。そして、制御ユニット１８０は、エラー発生に関するパケットとしてＰＩＤを指定ＰＩＤとするＰＩＤ指定ＰＩＣ2を生成して、付加チャンネルデコード部１３１2の指定ＰＩＤ保持部２２７2へ送る。ここで、ＰＩＤ指定ＰＩＣ2は、番組案内表情報ＥＰＧの作成処理期間においては、Ｂ階層放送の「番組情報データパケット」のＰＩＤを指定ＰＩＤとするものとなっている。また、サーチ処理期間においては、ＰＩＤ指定ＰＩＣ2は、Ａ階層放送の「映像データパケット」、「音声データパケット」、「データ放送パケット」、「番組情報データパケット」のＰＩＤを指定ＰＩＤとするものとなっている。
【００６１】
また、制御ユニット１８０は、再生用チャンネルデコード部１３１1から送られるエラー発生報告ＰＥＲ1の頻度等を勘案して再生用チャンネルデコード部１３１1における放送波の受信状態を評価するとともに、付加チャンネルデコード部１３１2から送られるエラー発生報告ＰＥＲ2の頻度等を勘案して付加チャンネルデコード部１３１2における放送波の受信状態を評価する。また、制御ユニット１８０は、受信状態の評価結果に基づいて、再生用チャンネルデコード部１３１1の受信状態の評価値ＥＳＴ1と、付加チャンネルデコード部１３１2の受信状態の評価値ＥＳＴ2とを算出する。そして、制御ユニット１８０は、当該評価値ＥＳＴ1に基づき、Ａ階層データＡＡＶ及びＢ階層データＢＡＶのいずれを選択すべきかを指定した選択指令ＳＬＳを生成して選択部１３３へ送るとともに、当該評価値ＥＳＴ2に基づき、番組案内表情報ＥＰＧの作成のためのチャンネル切換処理、サーチ処理のチャンネル切換処理の動作切換を行う。こうした動作切換に関する処理については、後述する。
【００６２】
なお、動作切換の指標となる受信状態の評価結果における切換値は、実験、シミュレーション、経験等に基づいて、予め定められるようになっている。
【００６３】
［動作］
以上のようにして構成されたデジタル放送受信装置１００の動作について、主にパケットデータに関するエラー発生を考慮した動作切換の処理に着目して説明する。
【００６４】
当初においては、放送波の受信状態は良好であり、制御ユニット１８０が信号合成部２２１へ向けて合成すべき旨の合成制御指令ＳＮＣを送ることにより、信号ＩＦＳ1，ＩＦＳ2を合成した信号が、ＯＦＤＭ復調部２２２1及びＣＮＲ検出部２２４1へ送られているものとするものとする（図３参照）。また、制御ユニット１８０は、選択部１３３に向けて、再生用ソースデコード部１３２1から出力されるＢ階送データＢＡＶを選択すべき選択指令ＳＬＳを送っているものとする（図２参照）。そして、制御ユニット１８０は、再生用チャンネルデコード部１３１1から送られるエラー発生報告ＰＥＲ1の頻度等を勘案して再生用チャンネルデコード部１３１1における放送波の受信状態を評価しているものとする。
【００６５】
ここで、制御ユニット１８０は、Ｂ階層放送の「映像データパケット」のＰＩＤ及び「音声データパケット」のＰＩＤを指定ＰＩＤとするＰＩＤ指定ＰＩＣ1を生成して、指定ＰＩＤ保持部２２７1へ送っているものとする。このため、当該エラー発生報告ＰＥＲ1は、Ｂ階層放送における「映像データパケット」及び「音声データパケット」に関するエラー発生の報告となっている。
【００６６】
また、以下に説明する、制御ユニット１８０が行う放送波の受信状態の評価結果と比較する所定値「Ｅ１」、「Ｅ２」、「Ｅ３」は、「Ｅ１」、「Ｅ２」、「Ｅ３」の順に、受信状態が良好なときの評価結果と対応するものとなっている。そして、各所定値は、実験、シミュレーション、経験等に基づいて、予め定められるようになっている。
【００６７】
なお、評価結果が所定値「Ｅ１」以上となる受信状態は、エラー発生報告ＰＥＲ1の頻度がほぼ「０」であり、かつ、検出値ＣＮＲ1が十分に高い状態である。また、所定値「Ｅ２」以上となる受信状態は、エラー発生報告ＰＥＲ1の頻度が、Ｂ階層放送による映像及び音声の視聴に対して利用者が違和感を覚えない状態である。さらに、評価結果が所定値「Ｅ３」以上となる受信状態は、検出値ＣＮＲ1がＡ階層放送の受信処理を安定して行うことができると考えられる状態である。
【００６８】
このような状況のもとで、本実施形態の動作切換処理は、図９に示されるように、まず、ステップＳ１１において、制御ユニット１８０が、エラー発生報告ＰＥＲ1の頻度及び検出値ＣＮＲ1を勘案して受信状態の評価値ＥＳＴ1を算出し、当該受信状態の評価値ＥＳＴ1が所定値Ｅ１以上であるか否かを判定する。この判定の結果が肯定的であった場合（ステップＳ１１：Ｙ）には、処理はステップＳ１２へ進む。
【００６９】
ステップＳ１２では、制御ユニット１８０が、番組案内表情報ＥＰＧの作成処理が必要であるか否かを判定する。ここで、番組案内表情報ＥＰＧの作成処理が必要なときとは、放送番組が切り替わった等、前回の番組案内表情報ＥＰＧの作成時から、所定時間が経過したとき等が挙げられる。この判定の結果が否定的であった場合（ステップＳ１２：Ｎ）には、処理はステップＳ１１へ戻る。
【００７０】
一方、ステップＳ１２における判定の結果が肯定的であった場合（ステップＳ１２：Ｙ）には、処理はステップＳ１３へ進む。ステップＳ１３では、制御ユニット１８０が、番組案内表情報ＥＰＧの作成処理を開始する。この後、制御ユニット１８０は、番組案内表情報ＥＰＧの作成を並行処理しつつ、ステップＳ１１の処理へ戻る。
【００７１】
ここで、ステップＳ１３の番組案内表情報ＥＰＧ作成処理について説明する。かかる番組案内表情報ＥＰＧの作成処理に際して、制御ユニット１８０は、まず、信号ＩＦＳ1，ＩＦＳ2を合成しない旨の合成制御指令ＳＮＣを、信号合成部２２１へ送る。また、制御ユニット１８０は、Ｂ階層放送における「番組情報データパケット」のＰＩＤを指定ＰＩＤとするＰＩＤ指定ＰＩＣ2を生成し、付加チャンネルデコード部１３１2の指定ＰＩＤ保持部２２７2へ送る。
【００７２】
引き続き、制御ユニット１８０は、記憶部１８１内のチャンネルリスト情報ＣＨＬを参照して、順次、それぞれの放送事業者の周波数ＦＱp（ｐ＝１，２，…，Ｐ）に対応する選局指令ＣＳＬ2を生成して、ＲＦ処理ユニット１２０2へ向けて送るとともに、付加ソースデコード部１３２2から送られるデータＢＤＰ2に基づいて、ＳＩ情報から番組情報を収集する。このとき、制御ユニット１８０は、付加チャンネルデコード部１３１2から送られるエラー発生報告ＰＥＲ2の頻度を考慮して受信状態の評価値ＥＳＴ2を算出し、当該受信状態の評価値ＥＳＴ2に基づいて、周波数の切換処理を行う。そして、制御ユニット１８０は、収集した番組情報に基づき、記憶部１８１内の番組案内表情報ＥＰＧを作成・更新する。
【００７３】
番組案内表情報ＥＰＧの作成処理が終了すると、制御ユニット１８０は、信号ＩＦＳ1，ＩＦＳ2を合成すべき旨の合成制御指令ＳＮＣを、信号合成部２２１へ送る。
【００７４】
図９に戻り、ステップＳ１１における判定の結果が否定的であった場合（ステップＳ１１：Ｎ）には、処理はステップＳ１４へ進む。ステップＳ１４では、制御ユニット１８０が、番組案内表情報ＥＰＧの作成中か否かを判定する。この判定の結果が肯定的であった場合（ステップＳ１４：Ｙ）には、処理はステップＳ１５へ進む。
【００７５】
ステップＳ１５では、制御ユニット１８０が、ステップＳ１３で開始した番組案内表情報ＥＰＧの作成処理を中止する。そして、制御ユニット１８０は、信号ＩＦＳ1，ＩＦＳ2を合成すべき旨の合成制御指令ＳＮＣを、信号合成部２２１へ送る。この後、処理はステップＳ１６へ進む。
【００７６】
一方、ステップＳ１４における判定の結果が否定的であった場合（ステップＳ１４：Ｎ）には、処理はステップＳ１６へ進む。
【００７７】
ステップＳ１６では、制御ユニット１８０が、エラー発生報告ＰＥＲ1の頻度を考慮して受信状態の評価値ＥＳＴ1を算出し、評価値ＥＳＴ1が所定値Ｅ２以上であるか否かを判定する。この判定の結果が肯定的であった場合（ステップＳ１６：Ｙ）には、処理はステップＳ１１へ戻る。
【００７８】
一方、ステップＳ１６における判定の結果が否定的であった場合（ステップＳ１６：Ｎ）には、処理はステップＳ１７へ進む。ステップＳ１７では、制御ユニット１８０が、選択部１３３に向けて、再生用ソースデコード部１３２1から出力されるＡ階送データＡＡＶを選択すべき選択指令ＳＬＳを送る。この結果、Ａ階層放送に基づく映像及び音声が再生出力される。
【００７９】
次に、ステップＳ１８において、制御ユニット１８０が、検出値ＣＮＲ1に基づいて受信状態の評価値ＥＳＴ1を算出し、評価値ＥＳＴ1が所定値Ｅ３以上であるか否かを判定する。この判定の結果が否定的であった場合（ステップＳ１８：Ｎ）には、処理はステップＳ１９へ進む。ステップＳ１９では、制御ユニット１８０が、サーチ処理を行う。
【００８０】
ここで、ステップＳ１９のサーチ処理について説明する。かかるサーチ処理に際して、制御ユニット１８０は、信号ＩＦＳ1，ＩＦＳ2を合成しない旨の合成制御指令ＳＮＣを、信号合成部２２１へ送る。また、制御ユニット１８０は、Ａ階層放送における「映像データパケット」、「音声データパケット」、「データ放送パケット」、「番組情報データパケット」のＰＩＤを指定ＰＩＤとするＰＩＤ指定ＰＩＣ2を生成し、付加チャンネルデコード部１３１2の指定ＰＩＤ保持部２２７2へ送る。
【００８１】
引き続き、制御ユニット１８０は、記憶部１８１内の中継局周波数情報ＲＳＦを参照して、順次、それぞれの中継局の周波数情報ＮＴＦq（ｑ＝１，…，Ｑ）に含まれる周波数に対応する選局指令ＣＳＬ2を生成して、ＲＦ処理ユニット１２０2へ向けてとともに、付加チャンネルデコード部１３１2から送られるエラー発生報告ＰＥＲ2の頻度及び検出値ＣＮＲ2を総合的に勘案して受信状態の評価値ＥＳＴ2を算出する。そして、制御ユニット１８０は、受信状態の評価値ＥＳＴ2に基づいて最適チャンネルを決定する。
【００８２】
こうしてサーチ処理が終了すると、制御ユニット１８０は、信号ＩＦＳ1，ＩＦＳ2を合成すべき旨の合成制御指令ＳＮＣを、信号合成部２２１へ送る。また、制御ユニット１８０は、最適チャンネルに従って選局指令ＣＳＬ1，ＣＳＬ2を生成し、当該選局指令ＣＳＬ1，ＣＳＬ2を、それぞれ、ＲＦ処理ユニット１２０1，１２０2へ向けて送る。この後、処理は図９のステップＳ１８へ戻る。
【００８３】
一方、ステップＳ１８における判定の結果が肯定的であった場合（ステップＳ１８：Ｙ）には、処理はステップＳ２０へ進む。
【００８４】
ステップＳ２０では、上述したステップＳ１６と同様に、制御ユニット１８０が、エラー発生報告ＰＥＲ1の頻度を考慮して受信状態の評価値ＥＳＴ1を算出し、評価値ＥＳＴ1が所定値Ｅ２以上であるか否かを判定する。この判定の結果が否定的であった場合（ステップＳ２０：Ｎ）には、処理はステップＳ１８へ戻る。
【００８５】
一方、ステップＳ２０における判定の結果が肯定的であった場合（ステップＳ２０：Ｙ）には、処理はステップＳ２１へ進む。ステップＳ２１では、制御ユニット１８０が、選択部１３３に向けて、再生用ソースデコード部１３２1から出力されるＢ階送データＢＡＶを選択すべき選択指令ＳＬＳを送る。この結果、Ｂ階層放送に基づく映像及び音声が再生出力される。この後、処理はステップＳ１１へ戻る。
【００８６】
上記の処理を実行することにより、動作切換の処理が行われる。
【００８７】
以上説明したように、本実施形態では、制御ユニット１８０が、エラー発生に関するパケットとして、Ｂ階層放送における「映像データパケット」及び「音声データパケット」を指定するため、Ｂ階層放送の「映像データパケット」のＰＩＤ及び「音声データパケット」のＰＩＤを指定ＰＩＤとするＰＩＤ指定ＰＩＣ1を生成し、再生用チャンネルデコード部１３１1の指定ＰＩＤ保持部２２７1へ送る。そして、エラーパケット抽出部２２５1が、データパケットＰＫＤ1に含まれるエラー表示を参照して、エラーパケットを抽出すると、エラーパケットにおけるＰＩＤを指定ＰＩＤ判定部２２６1へ送る。指定ＰＩＤ判定部２２６1は、指定ＰＩＤ保持部２２７1から指定ＰＩＤを読み取り、当該ＰＩＤが指定ＰＩＤと一致するか否かを判定する。この判定の結果が肯定的であった場合に、指定ＰＩＤ判定部２２６1は、エラー発生報告ＰＥＲ1を制御ユニット１８０へ送る。制御ユニット１８０は、エラー発生報告ＰＥＲ1の頻度を考慮して受信状態の評価値ＥＳＴ1を算出し、当該評価値ＥＳＴ1に基づき、階層放送間の動作切換を行う。
【００８８】
また、本実施形態では、付加チャンネルデコード部１３１2のエラーパケット抽出部２２５2が、データパケットＰＫＤ2に含まれるエラー表示を参照して、エラーパケットを抽出すると、エラーパケットにおけるＰＩＤを指定ＰＩＤ判定部２２６2へ送る。指定ＰＩＤ判定部２２６2は、指定ＰＩＤ保持部２２７2から指定ＰＩＤを読み取り、当該ＰＩＤが指定ＰＩＤと一致している場合に、エラー発生報告ＰＥＲ2を制御ユニット１８０へ送る。
【００８９】
制御ユニット１８０は、番組案内表情報ＥＰＧの作成時には、エラー発生に関するパケットとして、Ｂ階層放送における「番組情報データパケット」を指定するＰＩＤ指定ＰＩＣ2を生成し、付加チャンネルデコード部１３１2の指定ＰＩＤ保持部２２７2へ送る。そして、制御ユニット１８０は、エラー発生報告ＰＥＲ2の頻度を考慮して受信状態の評価値ＥＳＴ2を算出し、当該評価値ＥＳＴ2に基づき、番組案内表情報ＥＰＧ作成のための選局チャンネルの切換制御を行う。
【００９０】
また、制御ユニット１８０は、サーチ処理時には、エラー発生に関するパケットとして、Ａ階層放送における「映像データパケット」、「音声データパケット」、「データ放送パケット」及び「番組情報データパケット」を指定するＰＩＤ指定ＰＩＣ2を生成し、指定ＰＩＤ保持部２２７2へ送る。そして、制御ユニット１８０は、エラー発生報告ＰＥＲ2の頻度及び検出値ＣＮＲ2を総合的に勘案して受信状態の評価値ＥＳＴ2を算出し、当該評価値ＥＳＴ2に基づき、切換候補チャンネルの受信状態の評価を行う。
【００９１】
したがって、本実施形態によれば、エラーが発生したパケットの種別を考慮して、適切に動作切換を行うことができる。
【００９２】
［実施形態の変形］
本発明は、上記の実施形態に限定されるものではなく、様々な変形が可能である。
【００９３】
例えば、上記の実施形態のデジタル放送受信装置は、アンテナとＲＦ処理ユニットとの組を２組備えることとしたが、アンテナとＲＦ処理ユニットとの組は、１組であってもよいし、３組以上であってもよい。
【００９４】
また、上記の実施形態のデジタル放送受信装置は、アンテナとＲＦ処理ユニットとの組を２組備えることとしたが、１つのアンテナに対して、複数のＲＦ処理ユニットを配設するようにしてもよい。この場合には、信号合成部は不要となる。
【００９５】
また、上記の実施形態では、エラーパケット抽出部、指定ＰＩＤ保持部及び指定ＰＩＤ判定部がチャンネルデコード部内に構成されているものとした。これに対して、指定ＰＩＤ保持部及び指定ＰＩＤ判定部を、ソースデコード部におけるパケット分離部の後段に配置するようにしてもよい。
【００９６】
また、上記の実施形態では、Ｂ階層放送における「映像データパケット」及び「音声データパケット」に関するエラー発生の報告を考慮して、階層放送間の動作切換を行うこととした。これに対して、Ｂ階層放送における「映像データパケット」に関するエラー発生を考慮して、階層放送間の動作切換を行うようにしてもよい。また、Ｂ階層放送における「音声データパケット」に関するエラー発生を考慮して、階層放送間の動作切換を行うようにしてもよい。ここで、階層間切換に際してエラー発生を検出するパケットの種類は、利用者が、操作入力ユニットを操作して指定できるようにしてもよい。
【００９７】
また、上記の実施形態では、受信状態の評価結果が所定値「Ｅ３」以上であるか否かの判定に際して、検出値ＣＮＲ1に基づいて判定を行うようにしたが、エラー発生報告ＰＥＲ1の頻度を更に考慮するようにしてもよい。
【００９８】
また、再生用チャンネルデコード部では、全てのパケット種類についてのエラーの発生についても制御ユニットへ報告するようにし、受信状態の評価結果が所定値「Ｅ３」以上であるか否かの判定に際しては、制御ユニットが、検出値ＣＮＲ1及び全てのパケット種類についてのエラーの発生に基づいて判定を行うようにしてもよい。
【００９９】
また、上記の実施形態では、受信状態の評価値に基づいて、評価値が所定値「Ｅ２」以上である場合にＢ階層放送に基づく再生出力を行い、評価値が所定値「Ｅ２」未満の場合にＡ階層放送からの再生出力を行うこととした。これに対して、Ｂ階層放送からＡ階層放送へ切り換えるときの評価値の閾値を、Ａ階層放送からＢ階層放送へ切り換えるときの評価値の閾値に比べて高く設定する等、階層放送間の切換閾値を異なる値にしてもよい。
【０１００】
また、上記の実施形態では、放送波の受信状態を評価するに際して、ＣＮＲ値を考慮するようにしたが、ＲＦ処理ユニットからの出力信号に対してＡＧＣ（Auto Gain Control）を行う場合におけるＡＧＣ信号の値等を考慮するようにしてもよい。
【０１０１】
また、上記の実施形態では、車両に搭載されるデジタル放送受信装置に本発明を適用したが、車両以外に搭載されるデジタル放送受信装置にも本発明を適用してもよい。
【０１０２】
また、上記の実施形態では、日本国で現在採用されている地上デジタルテレビジョン放送の規格に適合するデジタル放送受信装置に本発明を適用したが、他の規格に適合するデジタル放送受信装置に本発明を適用してもよい。
【０１０３】
また、上記の実施形態では、再生用チャンネルデコード部のエラーパケット抽出部は、誤り訂正処理部から送られるデータパケット内のエラー表示を参照してエラーパケットを抽出するようにしたが、誤り訂正処理部が誤り訂正を行う際に生成される誤り訂正の可否に関する情報を受けて、当該情報に基づきエラーパケットを抽出するようにしてもよい。
【０１０４】
なお、上記の実施形態における制御ユニット１８０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１０５】
１００            …  デジタル放送受信装置
１４０            …  操作入力ユニット（操作入力手段）
１８０            …  制御ユニット（制御手段、指定手段）
２２５1，２２５2  …  エラーパケット抽出部（検出手段の一部）
２２６1，２２６2  …  指定ＰＩＤ判定部（検出手段の一部）
２２７1，２２７2  …  指定ＰＩＤ保持部（検出手段の一部）
【図１】
2011030003.tif 000003
【図２】
2011030003.tif 000004
【図３】
2011030003.tif 000005
【図４】
2011030003.tif 000006
【図５】
2011030003.tif 000007
【図６】
2011030003.tif 000008
【図７】
2011030003.tif 000009
【図８】
2011030003.tif 000010
【図９】
2011030003.tif 000011